(57)【要約】【課題】拾い玉や拾いメダルの計数を繰り返す常習者を特定し、迅速に不正行為に対処すること。【解決手段】計数機１００は、計数者によって投入された玉が所定数未満の場合、カメラ１０２によって計数者を撮像し、得られた画像をホールコンピュータ２００へ送信する。ホールコンピュータ２００は、計数機１００から送信される撮像画像を拾い玉計数の常習者の画像と照合し、撮像画像に一致する常習者の画像があるか否かを判定する。そして、ホールコンピュータ２００は、「一致画像あり」または「一致画像なし」の照合結果を景品管理装置３００へ送信する。景品管理装置３００は、レシートを持参した遊技客が拾い玉計数の常習者である場合は、その旨の警告を表示して、景品管理装置３００の係員に報知する。【選択図】        図１
2011143313.tif 000002
【特許請求の範囲】
【請求項１】
遊技に使用される遊技媒体の計数を管理する遊技媒体計数管理システムであって、
計数者による遊技媒体の投入により遊技媒体を計数する計数手段と、
前記計数手段による計数の完了を判定する計数完了判定手段と、
前記計数完了判定手段により計数の完了が判定された場合に計数者によって投入された遊技媒体数が所定数未満であるか否かを判定する判定手段と、
前記判定手段によって前記遊技媒体数が所定数未満であると判定された場合に、前記計数者を撮像する撮像手段と、
所定数未満の遊技媒体の計数を行った回数に関する条件に基づいて計数者の画像を記憶する記憶手段と、
前記撮像手段によって得られた撮像画像が前記記憶手段に記憶された画像に一致するか否かを照合する照合手段と、
前記判定手段による判定に用いる前記所定数として用いる値を入力する入力手段と、
前記入力手段により入力された値を前記所定数として設定する設定手段と
を有することを特徴とする遊技媒体計数管理システム。 
【請求項２】
前記記憶手段と前記照合手段とを有し、前記撮像画像の管理を行う第１の管理装置と、
前記計数手段による計数結果に基づく景品交換を行うための第２の管理装置と
を含み、
前記第２の管理装置は、
前記第１の管理装置から撮像画像を受信する受信手段と、
前記受信手段により受信した撮像画像を表示する表示手段と
を有することを特徴とする請求項１記載の遊技媒体計数管理システム。 
【請求項３】
前記記憶手段が計数者の画像を記憶する条件として、所定数未満の計数を過去に所定回数行ったことを条件とする請求項１又は２に記載の遊技媒体計数管理システム。 
【請求項４】
前記記憶手段が計数者の画像を記憶する条件として、所定数未満の計数を所定回数連続して行ったことを条件とする請求項１又は２に記載の遊技媒体計数管理システム。 
【請求項５】
請求項１乃至４のいずれか一つに記載の遊技媒体計数管理システムに用いられる遊技媒体計数装置であって、
前記計数手段、前記計数完了判定手段、前記判定手段及び前記撮像手段と、
前記計数手段により計数された遊技媒体数に相当するレシートを発行する発行手段と、
前記発行手段により発行されたレシートに付された識別番号と計数者の撮像画像と前記計数手段により計数された計数結果とを対応付けた情報とともに、照合要求を出力する照合要求送信手段と
を備えたことを特徴とする遊技媒体計数装置。
【発明の詳細な説明】
【技術分野】
【０００１】
本発明は、遊技に使用される遊技媒体の計数を管理する遊技媒体計数管理システムおよび遊技媒体計数装置に関する。
【背景技術】
【０００２】
一般に、パチンコ機およびパチスロ機などの遊技機が設置された遊技店では、遊技客が遊技によって獲得した玉やメダルを自動的に計数する計数機が設置される。計数機は、遊技店内に数ヶ所設置されており、遊技客が遊技による獲得出玉または獲得メダルを投入すると、その数を計数し、獲得出玉数または獲得メダル数が例えばバーコードなどとして記載されたレシートを発行する。遊技客は、このレシートを遊技店内の景品カウンターへ持参して係員へ手渡すと、係員は、レシートに記載されたバーコードなどを景品管理装置に入力し、景品管理装置によって獲得出玉数または獲得メダル数に応じた景品数が算出される。そして、算出された数の景品（特殊景品または一般景品）が係員から遊技客へ手渡されることになる。 
【０００３】
このような遊技店においては、レシートに記載される獲得出玉数または獲得メダル数が多いほど、より多くの景品が得られるため、悪質な遊技客によって、計数機による計数結果が多くなるような不正行為が行われる虞がある。この不正行為に対する対策として、例えば特許文献１には、遊技客が玉またはメダルを計数する間、遊技客を計数機に設けられた監視カメラで撮影・録画しておくことが記載されている。
【先行技術文献】
【特許文献】
【０００４】
【特許文献１】特開平１１−１２８５２１号公報
【発明の概要】
【発明が解決しようとする課題】
【０００５】
しかしながら、上記従来技術を用いても、遊技店内に落ちている玉やメダルを拾って計数する不正行為が行われる場合は、計数者の撮影画像自体は通常の計数時の撮影画像と変わらず、不正行為を発見することが困難であるという問題がある。すなわち、遊技店内では多少の玉やメダルがフロアに落ちて散乱しているため、悪質な遊技客や遊技店員の中には、落ちている玉やメダルを拾い集めて計数機で計数し、自分の貯玉とするなどの不正行為を行う者がいる。この場合、１回に拾われる玉やメダル（以下、それぞれ「拾い玉」および「拾いメダル」という）はそれほど多くないが、常習的に拾い玉や拾いメダルの計数が繰り返されると、やがて景品と交換可能な数の玉やメダルを不正に貯めることができてしまう。 
【０００６】
このとき、拾い玉や拾いメダルは、偽造されたものなどではなく正規の玉やメダルであり、計数の行為も遊技によって獲得された玉やメダルの計数と同様に行われるため、計数者を監視カメラで撮影・録画するのみでは、上述の不正行為を発見することができない。
【０００７】
また、上記従来の技術では、計数機で計数を行っている遊技客を撮影・録画しているのみであるため、不正行為をリアルタイムで発見し、迅速に対応するのが困難である。不正行為をリアルタイムで発見するためには、遊技店の係員などが常に撮影画像を目視で監視する必要がある。その上、計数機は遊技店内に数ヶ所設置されているため、これらすべての計数機における撮影画像を目視で監視することは現実的ではない。 
【０００８】
本発明はかかる点に鑑みてなされたものであり、拾い玉や拾いメダルの計数を繰り返す常習者を特定し、迅速に不正行為に対処することができる遊技媒体計数管理システムおよび遊技媒体計数装置を提供することを目的とする。
【課題を解決するための手段】
【０００９】
上記課題を解決するために、本発明は、遊技に使用される遊技媒体の計数を管理する遊技媒体計数管理システムであって、計数者による遊技媒体の投入により遊技媒体を計数する計数手段と、前記計数手段による計数の完了を判定する計数完了判定手段と、前記計数完了判定手段により計数の完了が判定された場合に計数者によって投入された遊技媒体数が所定数未満であるか否かを判定する判定手段と、前記判定手段によって前記遊技媒体数が所定数未満であると判定された場合に、前記計数者を撮像する撮像手段と、所定数未満の遊技媒体の計数を行った回数に関する条件に基づいて計数者の画像を記憶する記憶手段と、前記撮像手段によって得られた撮像画像が前記記憶手段に記憶された画像に一致するか否かを照合する照合手段と、前記判定手段による判定に用いる前記所定数として用いる値を入力する入力手段と、前記入力手段により入力された値を前記所定数として設定する設定手段とを有することを特徴とする。 
【００１０】
また、本発明は、上記発明において、前記記憶手段と前記照合手段とを有し、前記撮像画像の管理を行う第１の管理装置と、前記計数手段による計数結果に基づく景品交換を行うための第２の管理装置とを含み、前記第２の管理装置は、前記第１の管理装置から撮像画像を受信する受信手段と、前記受信手段により受信した撮像画像を表示する表示手段とを有することを特徴とする。 
【００１１】
また、本発明は、上記発明において、前記記憶手段が計数者の画像を記憶する条件として、所定数未満の計数を過去に所定回数行ったことを条件とする。 
【００１２】
また、本発明は、上記発明において、前記記憶手段が計数者の画像を記憶する条件として、所定数未満の計数を所定回数連続して行ったことを条件とする。 
【００１３】
また、本発明は、上記発明において、請求項１乃至４のいずれか一つに記載の遊技媒体計数管理システムに用いられる遊技媒体計数装置であって、前記計数手段、前記計数完了判定手段、前記判定手段及び前記撮像手段と、前記計数手段により計数された遊技媒体数に相当するレシートを発行する発行手段と、前記発行手段により発行されたレシートに付された識別番号と計数者の撮像画像と前記計数手段により計数された計数結果とを対応付けた情報とともに、照合要求を出力する照合要求送信手段とを備えたことを特徴とする。
【発明の効果】
【００１４】
本発明によれば、計数者による遊技媒体の投入により遊技媒体を計数し、計数の完了を判定し、計数の完了が判定された場合に計数者によって投入された遊技媒体数が所定数未満であるか否かを判定し、遊技媒体数が所定数未満であると判定された場合に、計数者を撮像し、所定数未満の遊技媒体の計数を行った回数に関する条件に基づいて計数者の画像を記憶し、記憶された画像と撮像画像が一致するか否かを照合し、判定に用いる前記所定数として入力された値を所定数として設定する。このため、少数計数を繰り返す計数者を拾い玉や拾いメダルの計数の常習者である可能性が高い計数者として即時的に識別することができ、拾い玉や拾いメダルの計数を繰り返す常習者を特定し、迅速に不正行為に対処することができる。
【図面の簡単な説明】
【００１５】
【図１】本発明の実施の形態に係る玉計数システムの概略を示す図である。
【図２】実施の形態に係る計数機の一例を示す斜視図である。
【図３】本発明の実施の形態１に係る計数機の要部構成を示すブロック図である。
【図４】実施の形態１に係るホールコンピュータの要部構成を示すブロック図である。
【図５】実施の形態１に係る景品管理装置の要部構成を示すブロック図である。
【図６】実施の形態１に係る玉計数システムの動作を示すフロー図である。
【図７】実施の形態１に係る玉計数システムの動作の具体例を示すシーケンス図である。
【図８−１】実施の形態１に係る少数計数データベースの一例を示す図である。
【図８−２】実施の形態１に係る常習者データベースの一例を示す図である。
【図９】本発明の実施の形態２に係るホールコンピュータの要部構成を示すブロック図である。
【図１０】実施の形態２に係る玉計数システムの動作を示すフロー図である。
【図１１】実施の形態２に係る玉計数システムの動作の具体例を示すシーケンス図である。
【図１２】実施の形態２に係る少数計数データベースの一例を示す図である。
【図１３】本発明の実施の形態３に係る計数機の要部構成を示すブロック図である。
【図１４】実施の形態３に係る玉計数システムの動作の具体例を示すシーケンス図である。
【発明を実施するための形態】
【００１６】
以下、本発明の実施の形態について、図面を参照して詳細に説明する。なお、以下においては、パチンコ機が設置された遊技店において、拾い玉を計数する不正行為を発見する場合を例に挙げて説明するが、パチスロ機が設置された遊技店において、拾いメダルを計数する不正行為を発見する場合にも本発明を同様に適用することができる。 
【００１７】
図１は、本発明の実施の形態に係る玉計数システムを備えた遊技店の概略構成を示す図である。同図に示すように、この遊技店においては、遊技店全体を統括管理するホールコンピュータ２００に複数の島コントローラ４００、計数機１００、および景品管理装置３００が接続されている。また、各島コントローラ４００には、それぞれ複数の玉貸出機５００およびパチンコ機６００が接続されている。 
【００１８】
計数機１００は、計数者によって投入された玉を計数し、計数結果が記載されたレシートを発行する。このレシートには、計数結果である玉数とともに、発行される個々のレシートを識別するためのレシートＩＤなどが記載されており、玉数およびレシートＩＤは、景品管理装置３００によって読み取り可能なバーコードとしても記載されている。また、計数機１００は、計数者によって投入された玉が所定数未満の場合、例えば図２に示すカメラ１０２によって計数者を撮像し、得られた画像をホールコンピュータ２００へ送信する。この画像は、計数者が拾い玉計数の常習者であるか否かの判定に用いられる。この判定については、後に詳述する。 
【００１９】
ホールコンピュータ２００は、遊技店全体の機器を統括管理する。また、ホールコンピュータ２００は、計数機１００から送信される画像を用いて、画像の計数者が拾い玉計数の常習者であるか否かを判定する。この判定については、後に詳述する。 
【００２０】
景品管理装置３００は、計数機１００から発行されたレシートを読み取り、レシートに記載されている玉数に対応する景品数を算出する。また、景品管理装置３００は、レシートを持参した遊技客が拾い玉計数の常習者である場合は、その旨の警告を表示して、景品管理装置３００の係員に報知する。この処理については、後に詳述する。 
【００２１】
島コントローラ４００は、島ごとに設けられ、各島の玉貸出機５００およびパチンコ機６００を管理・制御している。各玉貸出機５００にはパチンコ機６００が併設されており、遊技客は玉貸出機５００に紙幣またはプリペイドカードなどを挿入することにより玉を借り受け、この玉を用いて併設されたパチンコ機６００で遊技を行う。 
【００２２】
このような遊技店においては、遊技客は、玉貸出機５００から借り受けた玉を用いてパチンコ機６００で遊技を行い、遊技によって獲得した獲得出玉を計数機１００で計数し、レシートの発行を受ける。そして、遊技客は、発行されたレシートを景品管理装置３００へ持参し、獲得出玉数に応じた景品を得る。 
【００２３】
（実施の形態１）
図３は、本発明の実施の形態１に係る計数機１００の要部構成を示すブロック図である。図３に示す計数機１００は、カメラ１０２、計数部１０４、入力インタフェース（以下「入力Ｉ／Ｆ」と略記する）部１０６、判定部１０８、最低玉数設定部１１０、照合要求送信部１１２、およびレシート発行部１１４を有している。 
【００２４】
カメラ１０２は、計数機１００で玉を計数する計数者の顔を撮像可能な位置に設けられており、判定部１０８からの指示に応じて計数者を撮像する。具体的には、カメラ１０２は、計数者が最低玉数設定部１１０にて設定された最低玉数未満の玉を計数した場合に、計数者の顔を撮像する。 
【００２５】
計数部１０４は、計数者が投入した玉を計数し、入力Ｉ／Ｆ部１０６から指示された時点で、計数結果として得られた玉数を判定部１０８へ通知する。入力Ｉ／Ｆ部１０６は、例えば押下可能なボタンなどから構成されており、計数者によって玉の投入完了の旨が入力されると、計数部１０４に対して、計数結果を判定部１０８へ通知するよう指示する。
【００２６】
判定部１０８は、計数部１０４から通知された計数結果の玉数と最低玉数設定部１１０によって設定された最低玉数とを比較し、計数結果の玉数が最低玉数未満である場合に、カメラ１０２に対して計数者を撮像するよう指示するとともに、この計数者に対して発行するレシートＩＤを決定し、照合要求送信部１１２およびレシート発行部１１４へ計数結果の玉数およびレシートＩＤを通知する。また、判定部１０８は、計数結果の玉数が最低玉数以上である場合は、カメラ１０２に対して撮像の指示を出さずに、計数者に対して発行するレシートＩＤを決定し、レシート発行部１１４のみへ計数結果の玉数およびレシートＩＤを通知する。 
【００２７】
最低玉数設定部１１０は、遊技店員によって操作可能であり、計数者が投入した玉を拾い玉とみなす玉数を最低玉数として判定部１０８に設定する。ここで、計数者が拾い玉を計数する場合は、遊技による獲得出玉を計数する場合と異なり、計数される玉が少ないと考えられる。つまり、計数される玉が少ない場合は、計数者が投入した玉が拾い玉である可能性が高く、計数される玉が多い場合は、計数者が投入した玉が拾い玉である可能性が低い。そこで、遊技店員は、拾い玉である可能性が低いと考えられる最低の玉数を最低玉数として決定し、最低玉数設定部１１０に入力操作を行う。最低玉数設定部１１０は、遊技店員の入力操作を受け付け、最低玉数を判定部１０８に設定する。 
【００２８】
照合要求送信部１１２は、計数結果の玉数が最低玉数未満である場合に、カメラ１０２によって得られた計数者の撮像画像と、この計数者に発行されるレシートのレシートＩＤと、計数結果の玉数とを含む照合要求をホールコンピュータ２００へ送信する。この照合要求は、計数者の撮像画像が拾い玉計数の常習者の画像と一致するか否かの照合を要求するものである。 
【００２９】
レシート発行部１１４は、判定部１０８によって決定されたレシートＩＤと計数結果の玉数とが記載されたレシートを発行する。レシートには、レシートＩＤおよび玉数を示すバーコードなども記載されており、景品管理装置３００でレシートＩＤおよび玉数が読み取り可能となっている。なお、レシート発行部１１４は、紙にレシートＩＤおよび玉数が記載されたレシートではなく、例えば磁気カードやＩＣカードにレシートＩＤおよび玉数が記憶されたレシートを発行しても良い。 
【００３０】
図４は、本実施の形態に係るホールコンピュータ２００の要部構成を示すブロック図である。図４に示すホールコンピュータ２００は、照合要求受信部２０２、画像照合部２０４、少数計数データベース（以下「少数計数ＤＢ」と略記する）部２０６、登録件数判定部２０８、常習者データベース（以下「常習者ＤＢ」と略記する）部２１０、および照合結果送信部２１２を有している。 
【００３１】
照合要求受信部２０２は、計数機１００から送信される照合要求を受信し、照合要求に含まれる撮像画像、レシートＩＤ、および玉数を画像照合部２０４へ出力する。 
【００３２】
画像照合部２０４は、常習者ＤＢ部２１０に記憶されている拾い玉計数の常習者の画像と撮像画像とを照合し、撮像画像に一致する常習者の画像があるか否かを判定する。そして、画像照合部２０４は、撮像画像に一致する常習者の画像がある場合は、「一致画像あり」の照合結果と今回の撮像画像およびレシートＩＤとを照合結果送信部２１２へ出力するとともに、今回の拾い玉計数の日時などのデータを常習者ＤＢ部２１０に追加登録する。また、画像照合部２０４は、撮像画像に一致する常習者の画像がない場合は、「一致画像なし」の照合結果を照合結果送信部２１２へ出力するとともに、撮像画像、レシートＩＤ、および玉数を少数計数ＤＢ部２０６に登録する。 
【００３３】
少数計数ＤＢ部２０６は、計数機１００において最低玉数未満の玉の計数を行った計数者の撮像画像、レシートＩＤ、玉数、および日時を関連付けて記憶している。そして、少数計数ＤＢ部２０６は、画像照合部２０４において「一致画像なし」の照合結果が得られた場合、今回の撮像画像、レシートＩＤ、玉数、および日時を関連付けて新たに記憶する。上述したように、拾い玉の計数が行われる場合は、玉数が比較的少なく、計数機１００の判定部１０８に設定される最低玉数未満の計数が行われるため、少数計数が行われる度に計数者を記憶しておくことにより、少数計数を頻繁に繰り返す計数者を拾い玉計数の常習者と判断することができる。 
【００３４】
登録件数判定部２０８は、少数計数ＤＢ部２０６に新たに撮像画像が登録されると、画像照合により、この撮像画像と同一の計数者の画像を少数計数ＤＢ部２０６から検出する。そして、登録件数判定部２０８は、検出された画像の登録件数を所定のしきい値と比較し、登録件数が所定のしきい値以上である場合、計数者を拾い玉計数の常習者であると判断し、計数者の画像、少数計数ＤＢ部２０６に登録された少数計数の計数回数、およびすべての少数計数の日時を常習者ＤＢ部２１０に登録する。 
【００３５】
常習者ＤＢ部２１０は、拾い玉計数の常習者の画像、少数計数の計数回数、およびこの常習者によるすべての少数計数の日時を関連付けて記憶している。そして、常習者ＤＢ部２１０は、画像照合部２０４において「一致画像あり」の照合結果が得られた場合、この常習者の計数回数を１回増やし、新たに少数計数が行われた日時を追加する。また、常習者ＤＢ部２１０は、登録件数判定部２０８において登録件数が所定の閾値以上である場合、計数者の画像、少数計数の計数回数、およびこの計数者によるすべての少数計数の日時を新たに関連付けて記憶する。 
【００３６】
照合結果送信部２１２は、画像照合部２０４から出力される「一致画像あり」または「一致画像なし」の照合結果を景品管理装置３００へ送信する。なお、照合結果送信部２１２は、照合結果が「一致画像あり」の場合は、照合結果とともに常習者ＤＢ部２１０の画像と一致した計数者の撮像画像およびレシートＩＤを景品管理装置３００へ送信する。 
【００３７】
図５は、本実施の形態に係る景品管理装置３００の要部構成を示すブロック図である。図５に示す景品管理装置３００は、読取部３０２、景品数算出部３０４、照合結果受信部３０６、レシートＩＤ照合部３０８、警告報知部３１０、および表示部３１２を有している。 
【００３８】
読取部３０２は、遊技客が持参するレシートに記載または記憶されているレシートＩＤおよび玉数を読み取り、玉数を景品数算出部３０４へ通知するとともに、レシートＩＤをレシートＩＤ照合部３０８へ通知する。 
【００３９】
景品数算出部３０４は、読取部３０２から通知された玉数に応じた景品数を算出し、算出された景品数を表示部３１２へ出力する。照合結果受信部３０６は、ホールコンピュータ２００から送信された照合結果を受信し、「一致画像あり」または「一致画像なし」の照合結果をレシートＩＤ照合部３０８へ通知し、照合結果が「一致画像あり」の場合は、照合結果とともに受信される計数者の撮像画像およびレシートＩＤをレシートＩＤ照合部３０８へ出力する。 
【００４０】
レシートＩＤ照合部３０８は、「一致画像あり」の照合結果が受信された場合、この照合結果とともに受信されたレシートＩＤと読取部３０２によって読み取られたレシートＩＤとを照合し、２つのレシートＩＤが一致すると、その旨を計数者の撮像画像とともに警告報知部３１０へ出力する。 
【００４１】
警告報知部３１０は、レシートＩＤが一致した旨が出力されると、景品管理装置３００にレシートを持参した遊技客が拾い玉計数の常習者であることを示す警告を表示部３１２へ報知する。またこのとき、警告報知部３１０は、計数機１００によって撮像された遊技客の撮像画像を表示部３１２へ出力する。 
【００４２】
表示部３１２は、景品数算出部３０４によって算出された景品数を表示するとともに、警告報知部３１０から警告が報知された場合は、景品管理装置３００の係員が目視可能な警告および遊技客の撮像画像を表示する。 
【００４３】
次いで、上記のように構成された計数機１００、ホールコンピュータ２００、および景品管理装置３００を有する玉計数システムの動作について、図６に示すフロー図を参照しながら説明する。なお、ここでは、拾い玉の計数と判断する基準となる最低玉数が係員によってあらかじめ決定されており、計数機１００の最低玉数設定部１１０によって判定部１０８に設定されているものとする。 
【００４４】
まず、計数機１００に計数者が玉を投入すると（ステップＳ１０１）、計数部１０４によって玉が計数される（ステップＳ１０２）。計数者は、すべての玉の投入を完了すると、入力Ｉ／Ｆ部１０６に備えられたボタンを押下して、計数部１０４から判定部１０８へ計数結果を出力させる。 
【００４５】
そして、判定部１０８によって、計数結果の玉数が最低玉数未満であるか否かが判定される（ステップＳ１０３）。この結果、玉数が最低玉数以上であれば（ステップＳ１０３否定）、計数者は拾い玉を計数していないと判断され、通常通りの処理が行われる。すなわち、レシート発行部１１４によってレシートが発行され、遊技客は、このレシートを景品管理装置３００へ持参し、玉数に応じた景品を得る。 
【００４６】
一方、判定部１０８による判定（ステップＳ１０３）の結果、玉数最低玉数未満であれば（ステップＳ１０３肯定）、計数者が拾い玉計数を行っている可能性があるため、カメラ１０２によって計数者が撮像される（ステップＳ１０４）。また、判定部１０８によって、レシートＩＤが決定され、レシートＩＤおよび玉数が照合要求送信部１１２へ出力され、カメラ１０２によって得られた撮像画像、レシートＩＤ、および玉数を含む照合要求が照合要求送信部１１２からホールコンピュータ２００へ送信される。 
【００４７】
送信された照合要求は、ホールコンピュータ２００の照合要求受信部２０２によって受信され、照合要求に含まれる撮像画像、レシートＩＤ、および玉数が画像照合部２０４へ出力される。そして、画像照合部２０４によって、撮像画像と常習者ＤＢ部２１０に記憶されている画像とが照合され（ステップＳ１０５）、撮像画像に一致する画像が常習者ＤＢ部２１０に記憶されているか否かが判定される（ステップＳ１０６）。この結果、撮像画像に一致する画像が常習者ＤＢ部２１０に記憶されていなければ（ステップＳ１０６否定）、計数機１００で計数した計数者は拾い玉計数の常習者ではないと判断され、計数機１００および景品管理装置３００では、通常通りの処理が行われる。すなわち、計数機１００のレシート発行部１１４によってレシートが発行され、遊技客は、このレシートを景品管理装置３００へ持参し、玉数に応じた景品を得る。 
【００４８】
さらに、撮像画像に一致する画像が常習者ＤＢ部２１０に記憶されていない場合（ステップＳ１０６否定）、ホールコンピュータ２００では、画像照合部２０４から撮像画像、レシートＩＤ、および玉数が少数計数ＤＢ部２０６へ出力され、今回の計数に関するこれらのデータと計数が行われた日時とが関連付けられて登録される（ステップＳ１０７）。そして、登録件数判定部２０８によって、新たに登録された撮像画像と同一人物の画像が少数計数ＤＢ部２０６に何件登録されているか画像照合により検出され、登録件数が所定のしきい値と比較される（ステップＳ１０８）。この結果、登録件数がしきい値未満であれば（ステップＳ１０８否定）、今回の少数計数を加えても、計数者が拾い玉計数の常習者とはならないと判断される。 
【００４９】
また、登録件数判定部２０８による比較（ステップＳ１０８）の結果、登録件数がしきい値以上であれば（ステップＳ１０８肯定）、計数者が新たに拾い玉計数の常習者となったと判断され、この計数者の撮像画像、少数計数ＤＢ部２０６に登録されている登録件数、および各少数計数の日時が常習者ＤＢ部２１０へ出力され、新たな常習者のデータとして常習者ＤＢ部２１０に登録される（ステップＳ１０９）。 
【００５０】
一方、画像照合部２０４による画像照合（ステップＳ１０６）の結果、撮像画像に一致する画像が常習者ＤＢ部２１０に記憶されていれば（ステップＳ１０６肯定）、計数機１００で計数した計数者が拾い玉計数の常習者であると判断され、この計数者の画像に新たに今回の計数の日時や玉数が関連付けられて常習者ＤＢ部２１０が更新される（ステップＳ１１０）。さらに、計数者が拾い玉計数の常習者である旨の照合結果が、撮像画像およびレシートＩＤとともに照合結果送信部２１２から景品管理装置３００へ送信される。 
【００５１】
送信された照合結果、撮像画像、およびレシートＩＤは、景品管理装置３００の照合結果受信部３０６によって受信され、レシートＩＤ照合部３０８へ出力される。また、計数機１００では、レシート発行部１１４によってレシートＩＤおよび玉数が記載されたレシートが発行され、拾い玉計数の常習者である遊技客がレシートを景品管理装置３００へ持参する。そして、係員が景品管理装置３００を操作することにより、レシートに記載されたレシートＩＤおよび玉数が読取部３０２によって読み取られ、レシートＩＤはレシートＩＤ照合部３０８へ出力され、玉数は景品数算出部３０４へ出力される。 
【００５２】
そして、レシートＩＤ照合部３０８によって、読取部３０２から出力されたレシートＩＤと照合結果受信部３０６から出力されたレシートＩＤとが照合され、２つのレシートＩＤが一致すると、レシートを持参した遊技客が拾い玉計数の常習者であることが判明し、このレシートＩＤとともに受信された撮像画像が警告報知部３１０へ出力される。そして、警告報知部３１０によって、レシートを持参した遊技客が拾い玉計数の常習者であることを示す警告が表示部３１２へ報知され、表示部３１２に警告と撮像画像が表示される（ステップＳ１１１）。同時に、景品数算出部３０４によって、玉数に対応する景品数が算出され、表示部３１２に景品数が表示される。 
【００５３】
表示部３１２に警告および撮像画像が表示されることにより、景品管理装置３００の係員は、レシートを持参した遊技客が拾い玉計数の常習者であることを確認し、注意・指導を行うことができる。 
【００５４】
次に、拾い玉計数の常習者が計数機１００において新たに拾い玉を計数する場合の計数機１００、ホールコンピュータ２００、および景品管理装置３００の動作について、図７に示すシーケンス図を参照して、具体的に例を挙げながらまとめる。 
【００５５】
まず、拾い玉計数の常習者が計数機１００に玉を投入すると、計数部１０４によって玉が計数され（ステップＳ２０１）、判定部１０８によって玉数が最低玉数と比較される。ここでは、拾い玉計数の常習者が新たに拾い玉を計数しているので、玉数は最低玉数未満と判定される。このため、カメラ１０２によって計数者が撮像され（ステップＳ２０２）、この計数者に対して発行されるレシートのレシートＩＤおよび計数された玉数とともに撮像画像が照合要求送信部１１２からホールコンピュータ２００へ送信される（ステップＳ２０３）。そして、計数機１００においては、レシート発行部１１４によって、レシートＩＤおよび玉数が記載されたレシートが発行される（ステップＳ２０４）。発行されたレシートは、拾い玉計数の常習者である計数者が景品管理装置３００へ持参する（ステップＳ２０５）。 
【００５６】
計数機１００から送信された撮像画像、レシートＩＤ、および玉数は、ホールコンピュータ２００の照合要求受信部２０２を介して画像照合部２０４へ出力され、撮像画像と常習者ＤＢ部２１０に記憶された画像とが画像照合される（ステップＳ２０６）。撮像画像と同一人物の画像が常習者ＤＢ部２１０に記憶されていなければ、今回の小数計数のデータが例えば図８−１に示すような少数計数ＤＢ部２０６に記憶されるが、ここでは、計数者が拾い玉計数の常習者であるため、撮像画像と同一人物の画像が常習者ＤＢ部２１０に記憶されている。常習者ＤＢ部２１０は、例えば図８−２に示すようなデータを記憶しており、それぞれの拾い玉計数の常習者について、画像、少数計数を行った回数、日時などが関連付けられている。なお、図８−２においては、各常習者について１つの画像を図示しているが、すべての少数計数の際に撮像された画像を関連付けておいても良い。 
【００５７】
本実施の形態においては、このような常習者ＤＢ部２１０が作成されるため、常習者ＤＢ部２１０に登録された画像を画像照合に用いる以外にも、常習者ＤＢ部２１０のデータを拾い玉計数の常習者のブラックリストとして遊技店員に配布しておき、拾い玉計数に対する警戒を強化するなどという対策を採ることもできる。 
【００５８】
画像照合部２０４による画像照合の結果、撮像画像と同一人物の画像が常習者ＤＢ部２１０に記憶されているため、この撮像画像とレシートＩＤとが拾い玉計数の常習者であるという照合結果とともに照合結果送信部２１２から景品管理装置３００へ送信される（ステップＳ２０７）。そして、今回の少数計数に関するデータが常習者ＤＢ部２１０に追加登録される（ステップＳ２０８）。具体的には、図８−２に示す常習者ＤＢ部２１０において、今回の撮像画像が追加され、少数計数の計数回数が１回増やされ、日時が追加される。 
【００５９】
ここで、ホールコンピュータ２００から照合結果が景品管理装置３００へ送信されると、景品管理装置３００には、計数者が持参したレシートのレシートＩＤと照合結果とともに送信されたレシートＩＤとが通知されることになる。すなわち、計数者が持参したレシートは、景品管理装置３００の読取部３０２によって読み取られ（ステップＳ２０９）、レシートに記載されたレシートＩＤがレシートＩＤ照合部３０８へ出力される。また、照合結果とともに送信されたレシートＩＤは、照合結果受信部３０６によって受信され、撮像画像とともにレシートＩＤ照合部３０８へ出力される。 
【００６０】
そして、レシートＩＤ照合部３０８によって、２つのレシートＩＤが照合される（ステップＳ２１０）。読取部３０２によって読み取られるレシートが、通常の遊技客が持参したものであれば、レシートＩＤ照合部３０８においてレシートＩＤが一致することはないが、ここでは、拾い玉計数の常習者である計数者が持参したレシートが読取部３０２によって読み取られているため、２つのレシートＩＤは一致する。 
【００６１】
そこで、レシートＩＤ照合部３０８から警告報知部３１０へレシートＩＤとともに受信された撮像画像が出力され、この撮像画像とレシートを持参した計数者が拾い玉計数の常習者であることを示す警告とが表示部３１２に表示される（ステップＳ２１１）。また、読取部３０２によって読み取られたレシートに記載された玉数に対応する景品数が景品数算出部３０４によって算出されており、算出された景品数が表示部３１２に表示される。
【００６２】
以上のように、本実施の形態によれば、最低玉数未満の玉の計数が行われた場合に、計数機が計数者を撮像し、ホールコンピュータは撮像画像を少数計数の常習者が記憶されたデータベースの画像と照合し、撮像画像と同一人物がデータベースに登録されていれば、景品管理装置が警告を表示する。このため、少数計数を繰り返し、拾い玉計数の常習者である可能性が高い計数者を景品管理装置において確認することができ、拾い玉や拾いメダルの計数を繰り返す常習者を特定し、迅速に不正行為に対処することができる。 
【００６３】
（実施の形態２）
本発明の実施の形態２の特徴は、ホールコンピュータに記憶される少数計数者のデータベースにおいて、拾い玉計数の常習者をフラグの有無によって区別する点である。本実施の形態に係る計数機１００および景品管理装置３００の構成は、実施の形態１（図３および図５）と同様であるため、その説明を省略する。 
【００６４】
図９は、本実施の形態に係るホールコンピュータ２００の要部構成を示すブロック図である。同図において、図４と同じ部分には同じ符号を付し、その説明を省略する。図９に示すホールコンピュータ２００は、照合要求受信部２０２、少数計数ＤＢ部２０６ａ、照合結果送信部２１２、画像照合部２５２、一致件数判定部２５４、およびフラグ設定部２５６を有している。 
【００６５】
少数計数ＤＢ部２０６ａは、実施の形態１の少数計数ＤＢ部２０６に加えて、各計数者が拾い玉計数の常習者であるか否かを示すフラグを関連付けて記憶している。すなわち、少数計数ＤＢ部２０６ａは、計数機１００による計数者の撮像画像、レシートＩＤ、玉数、日時、およびフラグを関連付けて記憶している。そして、少数計数ＤＢ部２０６ａは、照合要求が受信されると、受信された照合要求に含まれる撮像画像、レシートＩＤ、玉数、および日時を関連付けて新たに記憶する。 
【００６６】
画像照合部２５２は、照合要求が受信されると、照合要求に含まれる撮像画像、レシートＩＤ、および玉数を日時と関連付けて少数計数ＤＢ部２０６ａに登録するとともに、少数計数ＤＢ部２０６ａに記憶されている画像と撮像画像とを照合し、撮像画像に一致する画像を検出する。さらに、画像照合部２５２は、撮像画像に一致する画像に関連付けられたフラグを参照し、撮像画像の被写体となった計数者が拾い玉計数の常習者であるか否かを判定する。そして、画像照合部２５２は、撮像画像に一致する画像のフラグが拾い玉計数の常習者であることを示す「有」である場合は、「常習者」の照合結果と今回の撮像画像およびレシートＩＤとを照合結果送信部２１２へ出力する。また、画像照合部２５２は、撮像画像に一致する画像が無いか、あっても画像に関連付けられたフラグが拾い玉計数の常習者ではないことを示す「無」である場合は、「非常習者」の照合結果を照合結果送信部２１２へ出力する。 
【００６７】
一致件数判定部２５４は、画像照合部２５２によって検出された、撮像画像に一致する画像の件数を所定のしきい値と比較し、一致件数が所定のしきい値以上である場合、計数者を拾い玉計数の常習者であると判断し、その旨をフラグ設定部２５６へ通知する。 
【００６８】
フラグ設定部２５６は、一致件数判定部２５４から計数者が拾い玉計数の常習者である旨が通知されると、この計数者に関する少数計数ＤＢ部２０６ａに記憶されたデータのすべてについてフラグを「有」に設定する。 
【００６９】
次いで、上記のように構成された計数機１００、ホールコンピュータ２００、および景品管理装置３００を有する玉計数システムの動作について、図１０に示すフロー図を参照しながら説明する。同図において、図６と同じ部分には同じ符号を付し、その詳しい説明を省略する。なお、ここでは、拾い玉の計数と判断する基準となる最低玉数が係員によってあらかじめ決定されており、計数機１００の最低玉数設定部１１０によって判定部１０８に設定されているものとする。 
【００７０】
まず、計数機１００に計数者が玉を投入すると（ステップＳ１０１）、計数部１０４によって玉が計数され（ステップＳ１０２）、判定部１０８によって計数結果の玉数が最低玉数未満であるか否かが判定される（ステップＳ１０３）。この結果、玉数が最低玉数以上であれば（ステップＳ１０３否定）、計数者は拾い玉を計数していないと判断され、通常通りの処理が行われる。すなわち、レシート発行部１１４によってレシートが発行され、遊技客は、このレシートを景品管理装置３００へ持参し、玉数に応じた景品を得る。 
【００７１】
一方、判定部１０８による判定（ステップＳ１０３）の結果、玉数最低玉数未満であれば（ステップＳ１０３肯定）、計数者が拾い玉計数を行っている可能性があるため、カメラ１０２によって計数者が撮像される（ステップＳ１０４）。そして、カメラ１０２によって得られた撮像画像、レシートＩＤ、および玉数を含む照合要求が照合要求送信部１１２からホールコンピュータ２００へ送信される。 
【００７２】
送信された照合要求は、ホールコンピュータ２００の照合要求受信部２０２によって受信され、照合要求に含まれる撮像画像、レシートＩＤ、および玉数が画像照合部２５２へ出力される。そして、画像照合部２５２によって、撮像画像、レシートＩＤ、および玉数が日時と関連付けられて少数計数ＤＢ部２０６ａに登録される（ステップＳ３０１）。また、画像照合部２５２によって、撮像画像と少数計数ＤＢ部２０６ａに記憶されている画像とが照合され（ステップＳ３０２）、撮像画像に一致する少数計数ＤＢ部２０６ａの画像に関連付けられたフラグが「有」であるか否かが判定される（ステップＳ３０３）。この結果、撮像画像に一致する画像が少数計数ＤＢ部２０６ａに記憶されていないか、記憶されていてもフラグが「無」であれば（ステップＳ３０３否定）、計数機１００で計数した計数者は拾い玉計数の常習者ではないと判断され、計数機１００および景品管理装置３００では、通常通りの処理が行われる。すなわち、計数機１００のレシート発行部１１４によってレシートが発行され、遊技客は、このレシートを景品管理装置３００へ持参し、玉数に応じた景品を得る。 
【００７３】
さらに、撮像画像に一致する画像に関連付けられたフラグが「無」である場合（ステップＳ３０３否定）、ホールコンピュータ２００では、撮像画像との一致件数が所定のしきい値と比較される（ステップＳ３０４）。この結果、一致件数がしきい値未満であれば（ステップＳ３０４否定）、今回の少数計数を加えても、計数者が拾い玉計数の常習者とはならないと判断される。 
【００７４】
また、一致件数判定部２５４による比較（ステップＳ３０４）の結果、一致件数がしきい値以上であれば（ステップＳ３０４肯定）、計数者が新たに拾い玉計数の常習者となったと判断され、フラグ設定部２５６によって、少数計数ＤＢ部２０６ａにおけるこの計数者のデータすべてのフラグが「有」に設定される（ステップＳ３０５）。 
【００７５】
一方、画像照合部２５２による画像照合（ステップＳ３０３）の結果、撮像画像に一致する少数計数ＤＢ部２０６ａの画像のフラグが「有」であれば（ステップＳ３０３肯定）、計数機１００で計数した計数者が拾い玉計数の常習者であると判断され、その旨の照合結果が、撮像画像およびレシートＩＤとともに照合結果送信部２１２から景品管理装置３００へ送信される。 
【００７６】
送信された照合結果、撮像画像、およびレシートＩＤは、景品管理装置３００の照合結果受信部３０６によって受信され、レシートＩＤ照合部３０８へ出力される。また、計数機１００では、レシート発行部１１４によってレシートＩＤおよび玉数が記載されたレシートが発行され、拾い玉計数の常習者である遊技客がレシートを景品管理装置３００へ持参する。そして、係員が景品管理装置３００を操作することにより、レシートに記載されたレシートＩＤおよび玉数が読取部３０２によって読み取られ、レシートＩＤはレシートＩＤ照合部３０８へ出力され、玉数は景品数算出部３０４へ出力される。 
【００７７】
そして、レシートＩＤ照合部３０８によって、読取部３０２から出力されたレシートＩＤと照合結果受信部３０６から出力されたレシートＩＤとが照合され、２つのレシートＩＤが一致すると、レシートを持参した遊技客が拾い玉計数の常習者であることが判明し、このレシートＩＤとともに受信された撮像画像が警告報知部３１０へ出力される。そして、警告報知部３１０によって、レシートを持参した遊技客が拾い玉計数の常習者であることを示す警告が表示部３１２へ報知され、表示部３１２に警告と撮像画像が表示される（ステップＳ１１１）。同時に、景品数算出部３０４によって、玉数に対応する景品数が算出され、表示部３１２に景品数が表示される。 
【００７８】
表示部３１２に警告および撮像画像が表示されることにより、景品管理装置３００の係員は、レシートを持参した遊技客が拾い玉計数の常習者であることを確認し、注意・指導を行うことができる。 
【００７９】
次に、拾い玉計数の常習者が計数機１００において新たに拾い玉を計数する場合の計数機１００、ホールコンピュータ２００、および景品管理装置３００の動作について、図１１に示すシーケンス図を参照して、具体的に例を挙げながらまとめる。図１１において、図７と同じ部分には同じ符号を付し、その詳しい説明を省略する。 
【００８０】
まず、拾い玉計数の常習者が計数機１００に玉を投入すると、計数部１０４によって玉が計数され（ステップＳ２０１）、判定部１０８によって玉数が最低玉数と比較される。ここでは、拾い玉計数の常習者が新たに拾い玉を計数しているので、玉数は最低玉数未満と判定される。このため、カメラ１０２によって計数者が撮像され（ステップＳ２０２）、この計数者に対して発行されるレシートのレシートＩＤおよび計数された玉数とともに撮像画像が照合要求送信部１１２からホールコンピュータ２００へ送信される（ステップＳ２０３）。そして、計数機１００においては、レシート発行部１１４によって、レシートＩＤおよび玉数が記載されたレシートが発行される（ステップＳ２０４）。発行されたレシートは、拾い玉計数の常習者である計数者が景品管理装置３００へ持参する（ステップＳ２０５）。 
【００８１】
計数機１００から送信された撮像画像、レシートＩＤ、および玉数は、ホールコンピュータ２００の照合要求受信部２０２を介して画像照合部２５２へ出力され、少数計数ＤＢ部２０６ａに登録される（ステップＳ４０１）。また、画像照合部２５２によって、撮像画像と少数計数ＤＢ部２０６ａに記憶された画像とが画像照合される（ステップＳ４０２）。撮像画像と同一人物の画像が少数計数ＤＢ部２０６ａに記憶されていないか、または、記憶されていても例えば図１２の最上段の人物のようにフラグが「無」であれば、計数者が拾い玉計数の常習者ではないと判断されるが、ここでは、計数者が拾い玉計数の常習者であるため、撮像画像と同一人物の画像が少数計数ＤＢ部２０６ａに記憶されており、かつ、例えば図１２の上から２〜３段目の人物のようにフラグが「有」となっている。 
【００８２】
本実施の形態においては、このようにフラグによって拾い玉計数の常習者であるか否かを識別しているため、常習者のみのデータベースがなくても確実に拾い玉計数の常習者を管理することができる。これにより、実施の形態１とは異なり、常習者のみに関するデータベースを必要とすることがなく、ホールコンピュータ２００における記憶容量の増大を抑制することができる。 
【００８３】
画像照合部２５２による画像照合の結果、少数計数ＤＢ部２０６ａに記憶された、撮像画像と同一人物の画像のフラグが「有」であるため、この撮像画像とレシートＩＤとが拾い玉計数の常習者であるという照合結果とともに照合結果送信部２１２から景品管理装置３００へ送信される（ステップＳ２０７）。これにより、景品管理装置３００には、計数者が持参したレシートのレシートＩＤと照合結果とともに送信されたレシートＩＤとが通知されることになる。すなわち、計数者が持参したレシートは、景品管理装置３００の読取部３０２によって読み取られ（ステップＳ２０９）、レシートに記載されたレシートＩＤがレシートＩＤ照合部３０８へ出力される。また、照合結果とともに送信されたレシートＩＤは、照合結果受信部３０６によって受信され、撮像画像とともにレシートＩＤ照合部３０８へ出力される。 
【００８４】
そして、レシートＩＤ照合部３０８によって、２つのレシートＩＤが照合される（ステップＳ２１０）。読取部３０２によって読み取られるレシートが、通常の遊技客が持参したものであれば、レシートＩＤ照合部３０８においてレシートＩＤが一致することはないが、ここでは、拾い玉計数の常習者である計数者が持参したレシートが読取部３０２によって読み取られているため、２つのレシートＩＤは一致する。 
【００８５】
そこで、レシートＩＤ照合部３０８から警告報知部３１０へレシートＩＤとともに受信された撮像画像が出力され、この撮像画像とレシートを持参した計数者が拾い玉計数の常習者であることを示す警告とが表示部３１２に表示される（ステップＳ２１１）。また、読取部３０２によって読み取られたレシートに記載された玉数に対応する景品数が景品数算出部３０４によって算出されており、算出された景品数が表示部３１２に表示される。
【００８６】
以上のように、本実施の形態によれば、最低玉数未満の玉の計数が行われた場合に、計数機が計数者を撮像し、ホールコンピュータは撮像画像を少数計数の常習者にフラグが設定されているデータベースの画像と照合し、撮像画像と同一人物の画像にフラグが設定されていれば、景品管理装置が警告を表示する。このため、少数計数を繰り返し、拾い玉計数の常習者である可能性が高い計数者を景品管理装置において確認することができ、拾い玉や拾いメダルの計数を繰り返す常習者を特定し、迅速に不正行為に対処することができる。また、少数計数すべてに関するデータベースに常習者のフラグを設定するため、別途常習者のみに関するデータベースを必要とすることがなく、ホールコンピュータにおける記憶容量の増大を抑制することができる。 
【００８７】
（実施の形態３）
本発明の実施の形態３の特徴は、拾い玉計数の常習者が特定された場合に、景品管理装置に警告を表示する代わりに、計数機から発行されるレシートを特殊なものにする点である。本実施の形態に係るホールコンピュータ２００の構成は、実施の形態１（図４）と同様であるため、その説明を省略する。また、本実施の形態に係る景品管理装置３００は、従来のものと同様であるため、その説明を省略する。 
【００８８】
図１３は、本実施の形態に係る計数機１００の要部構成を示すブロック図である。同図において、図３と同じ部分には同じ符号を付し、その説明を省略する。図１３に示す計数機１００は、図３に示す計数機１００のレシート発行部１１４に代えてレシート発行部１１４ａを有し、照合結果受信部１５２を追加した構成を有している。 
【００８９】
レシート発行部１１４ａは、判定部１０８によって決定されたレシートＩＤと計数結果の玉数とが記載されたレシートを発行する。このとき、レシート発行部１１４ａは、照合結果受信部１５２によって受信された照合結果が、計数者が拾い玉計数の常習者であることを示す場合は、通常とは異なる特殊なレシートを発行する。具体的には、レシート発行部１１４ａは、計数者が拾い玉計数の常習者である場合は、特定のマークが付加されていたり、印字色・紙色が通常と異なっていたりするレシートを発行する。なお、レシート発行部１１４ａが、例えば磁気カードやＩＣカードにレシートＩＤおよび玉数が記憶されたレシートを発行する場合は、計数者が拾い玉計数の常習者であることを示す警告データを記憶させるようにしても良い。照合結果受信部１５２は、ホールコンピュータ２００から送信された照合結果を受信し、計数者が拾い玉計数の常習者であるか否かをレシート発行部１１４ａへ通知する。 
【００９０】
次に、拾い玉計数の常習者が計数機１００において新たに拾い玉を計数する場合の計数機１００、ホールコンピュータ２００、および景品管理装置３００の動作について、図１４に示すシーケンス図を参照してまとめる。図１４において、図７と同じ部分には同じ符号を付し、その詳しい説明を省略する。 
【００９１】
まず、拾い玉計数の常習者が計数機１００に玉を投入すると、計数部１０４によって玉が計数され（ステップＳ２０１）、判定部１０８によって玉数が最低玉数と比較される。ここでは、拾い玉計数の常習者が新たに拾い玉を計数しているので、玉数は最低玉数未満と判定される。このため、カメラ１０２によって計数者が撮像され（ステップＳ２０２）、この計数者に対して発行されるレシートのレシートＩＤおよび計数された玉数とともに撮像画像が照合要求送信部１１２からホールコンピュータ２００へ送信される（ステップＳ２０３）。 
【００９２】
計数機１００から送信された撮像画像、レシートＩＤ、および玉数は、ホールコンピュータ２００の照合要求受信部２０２を介して画像照合部２０４へ出力され、撮像画像と常習者ＤＢ部２１０に記憶された画像とが画像照合される（ステップＳ２０６）。ここでは、計数者が拾い玉計数の常習者であるため、撮像画像と同一人物の画像が常習者ＤＢ部２１０に記憶されており、計数者が拾い玉計数の常習者であることを示す照合結果が照合結果送信部２１２から計数機１００へ送信される（ステップＳ６０１）。そして、今回の少数計数に関するデータが常習者ＤＢ部２１０に追加登録される（ステップＳ２０８）。 
【００９３】
ホールコンピュータ２００から送信された照合結果は、計数機１００の照合結果受信部１５２を介してレシート発行部１１４ａへ出力される。この照合結果は、計数者が拾い玉計数の常習者であることを示すものであるため、レシート発行部１１４ａによって、通常とは異なる特殊なレシートが発行される（ステップＳ６０２）。発行されたレシートは、拾い玉計数の常習者である計数者が景品管理装置３００へ持参する（ステップＳ６０３）。そして、計数者が持参したレシートは、景品管理装置３００によって読み取られるが（ステップＳ６０４）、このレシートは、通常のレシートとは異なっているため、景品管理装置３００の係員は、レシートを持参した計数者が拾い玉計数の常習者であることを確認し、注意・指導を行うことができる。 
【００９４】
以上のように、本実施の形態によれば、最低玉数未満の玉の計数が行われた場合に、計数機が計数者を撮像し、ホールコンピュータは撮像画像を少数計数の常習者が記憶されたデータベースの画像と照合し、撮像画像と同一人物がデータベースに登録されていれば、計数機が通常とは異なる特殊なレシートを発行する。このため、少数計数を繰り返し、拾い玉計数の常習者である可能性が高い計数者をレシートで識別することができ、拾い玉や拾いメダルの計数を繰り返す常習者を特定し、迅速に不正行為に対処することができる。また、レシートが通常とは異なる特殊なものになるので、レシートＩＤの照合などが必要なく、より簡易な処理で拾い玉や拾いメダルの計数を繰り返す常習者を特定することができる。 
【００９５】
なお、上記実施の形態３においては、計数者が拾い玉計数の常習者である場合に、その旨のバーコードなどが印刷されたレシートが発行され、景品管理装置３００にてレシートが読み取られる際に、このバーコードが検出されると景品管理装置３００に警告が表示されるなどとしても良い。こうすることにより、計数者本人には、レシートが通常と異なることが知られることがない。 
【００９６】
また、上記各実施の形態においては、ホールコンピュータ２００の少数計数ＤＢ部２０６または少数計数ＤＢ部２０６ａに同じ人物の画像が所定のしきい値以上登録されている場合に、この人物を拾い玉計数の常習者であるものとした。しかし、さらに確実に拾い玉計数の常習者のみを特定するためには、計数機１００は、計数を行うすべての計数者を撮像し、ホールコンピュータ２００は、すべての撮像画像、レシートＩＤ、および玉数を記憶し、同じ人物による少数計数の連続回数が所定のしきい値以上となる場合に、この人物を拾い玉計数の常習者と判断しても良い。通常の遊技によって得た獲得出玉を計数する遊技客は、少数計数の連続回数が多くなることはなく、例えば飲み物などとの交換を目的とした少数計数を稀に行うのみであるため、上述の処理によって、通常の遊技客が誤って拾い玉計数の常習者と判断される可能性を低下させることができる。
【産業上の利用可能性】
【００９７】
本発明は、拾い玉や拾いメダルの計数を繰り返す常習者を特定し、迅速に不正行為に対処する場合に適している。
【符号の説明】
【００９８】
１０２  カメラ
１０４  計数部
１０６  入力Ｉ／Ｆ部
１０８  判定部
１１０  最低玉数設定部
１１２  照合要求送信部
１１４、１１４ａ  レシート発行部
１５２、３０６  照合結果受信部
２０２  照合要求受信部
２０４、２５２  画像照合部
２０６、２０６ａ  少数計数ＤＢ部
２０８  登録件数判定部
２１０  常習者ＤＢ部
２１２  照合結果送信部
２５４  一致件数判定部
２５６  フラグ設定部
３０２  読取部
３０４  景品数算出部
３０８  レシートＩＤ照合部
３１０  警告報知部
３１２  表示部
【図１】
2011143313.tif 000003
【図２】
2011143313.tif 000004
【図３】
2011143313.tif 000005
【図４】
2011143313.tif 000006
【図５】
2011143313.tif 000007
【図６】
2011143313.tif 000008
【図７】
2011143313.tif 000009
【図８−１】
2011143313.tif 000010
【図８−２】
2011143313.tif 000011
【図９】
2011143313.tif 000012
【図１０】
2011143313.tif 000013
【図１１】
2011143313.tif 000014
【図１２】
2011143313.tif 000015
【図１３】
2011143313.tif 000016
【図１４】
2011143313.tif 000017